(57)【特許請求の範囲】
【請求項１】
互いに異なる電位を有する第１ブスバー及び第２ブスバーからなる２つのブスバーに固定可能であり、前記ブスバーに固定された固定状態において相手側コネクタと嵌合方向に沿って嵌合可能なコネクタであって、
前記コネクタは、絶縁体からなる収容部材と、第１コンタクト及び第２コンタクトからなる２つのコンタクトとを備えており、
前記収容部材は、前記嵌合方向と直交する所定方向において互いに反対側に位置する第１面及び第２面を有しており、
前記収容部材は、前記コンタクトを、前記嵌合方向及び前記所定方向の双方と直交するピッチ方向に並べて収容しており、
前記コンタクトの夫々は、ネジ孔が形成されたネジ止め部を有しており、
前記コネクタが前記固定状態にあるとき、前記第１コンタクトの前記ネジ止め部は、前記所定方向において、前記第１面と同じ位置にあるか又は前記第１面を超えて外部に突出しており、
前記コネクタが前記固定状態にあるとき、前記第２コンタクトの前記ネジ止め部は、前記所定方向において、前記第２面と同じ位置にあるか又は前記第２面を超えて外部に突出しており、
前記固定状態において、前記第１コンタクトは、前記ネジ孔に挿入された第１ネジによって前記第１ブスバーにネジ止めされており、前記第２コンタクトは、前記ネジ孔に挿入された第２ネジによって前記第２ブスバーにネジ止めされており、
前記固定状態において、前記第１コンタクトの前記ネジ止め部は、前記第１ブスバーと直接的に接触しており、前記第２コンタクトの前記ネジ止め部は、前記第２ブスバーと直接的に接触している
コネクタ。
【請求項２】
請求項１記載のコネクタであって、
前記コネクタは、２つの隔壁を備えており
前記隔壁は、前記所定方向と直交する平面において前記ネジ孔と夫々重なっており、
前記コネクタを前記所定方向に沿って見たとき、前記ネジ孔のうちの一方のみが視認できる
コネクタ。
【請求項３】
請求項１又は請求項２記載のコネクタであって、
前記コネクタは、２つのナットを備えており、
前記ブスバーの夫々には、固定孔が形成されており、
前記第１ネジ及び前記第２ネジからなる２つのネジの夫々は、頭部と軸部とを有しており、
前記固定状態において、前記ナットは、前記固定孔及び前記ネジ孔を貫通した前記ネジの前記軸部に取り付けられており、前記ネジの前記頭部と共に前記ブスバー及び前記コンタクトを間に挟んで固定している
コネクタ。
【請求項４】
請求項３記載のコネクタであって、
前記コネクタは、２つのナット収容部を備えており、
前記ナット収容部は、前記ナットと夫々対応する形状を有しており、
前記ナットは、前記ナット収容部に夫々収容されている
コネクタ。
【請求項５】
請求項４記載のコネクタであって、
前記収容部材は、互いに別体の主部と副部とを含んでおり、
前記コンタクトは、前記主部と前記副部とに挟まれており、
前記ナット収容部は、前記副部に形成されている
コネクタ。
【請求項６】
請求項１乃至請求項５のいずれかに記載のコネクタであって、
前記コンタクトの夫々は、前記ピッチ方向において互いに離れた位置にある２つ以上の接点部を有している
コネクタ。
【請求項７】
請求項１乃至請求項６のいずれかに記載のコネクタであって、
前記コンタクトの夫々は、２つのコンタクト部材を含むソケットコンタクトであり、
前記コンタクト部材は、前記収容部材の内部を、前記所定方向において互いから離れるようにして、前記嵌合方向に延びており、
前記コンタクト部材の先端部は、前記所定方向において互いに近づくように折り曲げられている
コネクタ。
【請求項８】
請求項７記載のコネクタであって、
前記コネクタは、補助バネを備えており、
前記補助バネは、前記コンタクト部材の前記先端部に取り付けられて、前記先端部を前記所定方向に連結している
コネクタ。
【請求項９】
請求項８記載のコネクタであって、
前記補助バネは、前記ソケットコンタクトと前記収容部材とに挟まれている
コネクタ。
【請求項１０】
請求項７乃至請求項９のいずれかに記載のコネクタであって、
前記ソケットコンタクトは、２つのソケット接点部を有しており、
前記ソケット接点部は、前記所定方向において互いに反対側に位置し、且つ、前記嵌合方向において互いに異なる位置にある
コネクタ。
【請求項１１】
請求項１乃至請求項１０のいずれかに記載のコネクタであって、
前記収容部材の前記第１面上又は前記第２面上には、前記所定方向において外側に張り出した回り止めが形成されている
コネクタ。
【請求項１２】
請求項１１記載のコネクタであって、
前記コネクタのうち前記相手側コネクタと嵌合する嵌合部は、前記固定状態において、前記ブスバーから前記嵌合方向に突出している
コネクタ。
【請求項１３】
請求項１２記載のコネクタであって、
前記嵌合部は、前記嵌合方向において前記回り止めよりも前記相手側コネクタ側に位置している
コネクタ。
【発明の詳細な説明】
【技術分野】
【０００１】
本発明は、ブスバーに固定して使用されるコネクタであって相手側コネクタと嵌合可能なコネクタに関する。
【背景技術】
【０００２】
例えば、特許文献１には、２つのブスバーを備えた電気接続箱が開示されている。
【０００３】
図２３を参照すると、特許文献１の電気接続箱は、上部ケース９１０と、下部ケース９２０と、２つのブスバー９３０とを備えている。ブスバー９３０は、上部ケース９１０及び下部ケース９２０に夫々設けられている。ブスバー９３０には、ヒューズ、リレー及びコネクタ等の接続対象物（図示せず）に接続するための接続端子（雌−雄端子９４０及び雄−雌端子９５０）が取り付けられている。また、上部ケース９１０及び下部ケース９２０には、接続対象物と対応する形状を夫々有する様々な接続部が形成されている。例えば、下部ケース９２０には、コネクタとの接続部として、コネクタ挿着部９６０が形成されている。コネクタ挿着部９６０の内部には、２つの雄−雌端子９５０が配置されている。
【先行技術文献】
【特許文献】
【０００４】
【特許文献１】特開平０７−１９３９４７号公報
【発明の概要】
【発明が解決しようとする課題】
【０００５】
特許文献１の電気接続箱は、接続対象物に合わせて、上部ケース９１０又は下部ケース９２０の形状を変更すると共に、接続対象物と対応した接続端子をブスバー９３０に取り付ける必要がある。このため、接続対象物を、必要に応じてブスバー９３０に接続することが容易ではない。
【０００６】
そこで、本発明は、相手側コネクタを介して接続対象物に接続可能なコネクタであって、ブスバーに容易に固定可能なコネクタを提供することを目的とする。
【課題を解決するための手段】
【０００７】
本発明は、第１のコネクタとして、
互いに異なる電位を有する第１ブスバー及び第２ブスバーからなる２つのブスバーに固定可能であり、前記ブスバーに固定された固定状態において相手側コネクタと嵌合方向に沿って嵌合可能なコネクタであって、
前記コネクタは、絶縁体からなる収容部材と、第１コンタクト及び第２コンタクトからなる２つのコンタクトとを備えており、
前記収容部材は、前記嵌合方向と直交する所定方向において互いに反対側に位置する第１面及び第２面を有しており、
前記収容部材は、前記コンタクトを、前記嵌合方向及び前記所定方向の双方と直交するピッチ方向に並べて収容しており、
前記コンタクトの夫々は、ネジ孔が形成されたネジ止め部を有しており、
前記コネクタが前記固定状態にあるとき、前記第１コンタクトの前記ネジ止め部は、前記所定方向において、前記第１面と同じ位置にあるか又は前記第１面を超えて外部に突出しており、
前記コネクタが前記固定状態にあるとき、前記第２コンタクトの前記ネジ止め部は、前記所定方向において、前記第２面と同じ位置にあるか又は前記第２面を超えて外部に突出しており、
前記固定状態において、前記第１コンタクトは、前記ネジ孔に挿入された第１ネジによって前記第１ブスバーにネジ止めされており、前記第２コンタクトは、前記ネジ孔に挿入された第２ネジによって前記第２ブスバーにネジ止めされており、
前記固定状態において、前記第１コンタクトの前記ネジ止め部は、前記第１ブスバーと直接的に接触しており、前記第２コンタクトの前記ネジ止め部は、前記第２ブスバーと直接的に接触している
コネクタを提供する。
【０００８】
また、本発明は、第２のコネクタとして、第１のコネクタであって、
前記コネクタは、２つの隔壁を備えており
前記隔壁は、前記所定方向と直交する平面において前記ネジ孔と夫々重なっており、
前記コネクタを前記所定方向に沿って見たとき、前記ネジ孔のうちの一方のみが視認できる
コネクタを提供する。
【０００９】
また、本発明は、第３のコネクタとして、第１又は第２のコネクタであって、
前記コネクタは、２つのナットを備えており、
前記ブスバーの夫々には、固定孔が形成されており、
前記第１ネジ及び前記第２ネジからなる２つのネジの夫々は、頭部と軸部とを有しており、
前記固定状態において、前記ナットは、前記固定孔及び前記ネジ孔を貫通した前記ネジの前記軸部に取り付けられており、前記ネジの前記頭部と共に前記ブスバー及び前記コンタクトを間に挟んで固定している
コネクタを提供する。
【００１０】
また、本発明は、第４のコネクタとして、第３のコネクタであって、
前記コネクタは、２つのナット収容部を備えており、
前記ナット収容部は、前記ナットと夫々対応する形状を有しており、
前記ナットは、前記ナット収容部に夫々収容されている
コネクタを提供する。
【００１１】
また、本発明は、第５のコネクタとして、第４のコネクタであって、
前記収容部材は、互いに別体の主部と副部とを含んでおり、
前記コンタクトは、前記主部と前記副部とに挟まれており、
前記ナット収容部は、前記副部に形成されている
コネクタを提供する。
【００１２】
また、本発明は、第６のコネクタとして、第１乃至第５のいずれかのコネクタであって、
前記コンタクトの夫々は、前記ピッチ方向において互いに離れた位置にある２つ以上の接点部を有している
コネクタを提供する。
【００１３】
また、本発明は、第７のコネクタとして、第１乃至第６のいずれかのコネクタであって、
前記コンタクトの夫々は、２つのコンタクト部材を含むソケットコンタクトであり、
前記コンタクト部材は、前記収容部材の内部を、前記所定方向において互いから離れるようにして、前記嵌合方向に延びており、
前記コンタクト部材の先端部は、前記所定方向において互いに近づくように折り曲げられている
コネクタを提供する。
【００１４】
また、本発明は、第８のコネクタとして、第７のコネクタであって、
前記コネクタは、補助バネを備えており、
前記補助バネは、前記コンタクト部材の前記先端部に取り付けられて、前記先端部を前記所定方向に連結している
コネクタを提供する。
【００１５】
また、本発明は、第９のコネクタとして、第８のコネクタであって、
前記補助バネは、前記ソケットコンタクトと前記収容部材とに挟まれている
コネクタを提供する。
【００１６】
また、本発明は、第１０のコネクタとして、第７乃至第９のいずれかのコネクタであって、
前記ソケットコンタクトは、２つのソケット接点部を有しており、
前記ソケット接点部は、前記所定方向において互いに反対側に位置し、且つ、前記嵌合方向において互いに異なる位置にある
コネクタを提供する。
【００１７】
また、本発明は、第１１のコネクタとして、第１乃至第１０のいずれかのコネクタであって、
前記収容部材の前記第１面上又は前記第２面上には、前記所定方向において外側に張り出した回り止めが形成されている
コネクタを提供する。
【００１８】
また、本発明は、第１２のコネクタとして、第１１のコネクタであって、
前記コネクタのうち前記相手側コネクタと嵌合する嵌合部は、前記固定状態において、前記ブスバーから前記嵌合方向に突出している
コネクタを提供する。
【００１９】
また、本発明は、第１３のコネクタとして、第１２のコネクタであって、
前記嵌合部は、前記嵌合方向において前記回り止めよりも前記相手側コネクタ側に位置している
コネクタを提供する。
【発明の効果】
【００２０】
本発明によれば、コネクタは、相手側コネクタと嵌合可能である。このため、コネクタは、相手側コネクタに接続対象物を接続することで、相手側コネクタを介して接続対象物に接続可能である。また、コネクタは、ネジ孔が設けられたコンタクトを有している。コンタクトは、ネジ孔に挿入されたネジによってブスバーにネジ止め可能である。このため、コネクタは、コンタクトをブスバーにネジ止めするという簡単な方法によって、ブスバーに容易に固定可能である。
【図面の簡単な説明】
【００２１】
【図１】本発明の実施の形態による複数のコネクタと、ブスバーとを示す斜視図である。ここで、コネクタは、第１ブスバー及び第２ブスバーに固定された固定状態にある。
【図２】図１の複数のコネクタと、ブスバーとを示す斜視図である。ここで、コネクタは、第２ブスバー上に置かれているが、第１ブスバー及び第２ブスバーのいずれにも固定されていない。
【図３】図１の複数のコネクタと、ブスバーとを示す正面図である。
【図４】図２の複数のコネクタと、ブスバーとを示す底面図である。
【図５】図１のコネクタを示す斜視図である。
【図６】図５のコネクタを示す分解斜視図である。
【図７】図６のコネクタの収容部材の主部を示す下側斜視図である。
【図８】図６のコネクタの第１コンタクトの２つのコンタクト部材を示す上側斜視図である。ここで、コンタクト部材を組み合わせて第１コンタクトを形成した際の上側のコンタクト部材の輪郭を破線で描画している。
【図９】図８のコンタクト部材を示す下側斜視図である。
【図１０】図６のコネクタの補助バネを示す上側斜視図である。ここで、補助バネが取り付けられる第１コンタクトの上側のコンタクト部材の端部を破線で描画している。
【図１１】図１０の補助バネを示す下側斜視図である。ここで、補助バネが取り付けられる下側のコンタクト部材の端部を破線で描画している。
【図１２】図６のコネクタの収容部材の副部とナットとを示す上側斜視図である。
【図１３】図１２の副部を示す下側斜視図である。
【図１４】図５のコネクタを示す上面図である。
【図１５】図５のコネクタを示す底面図である。
【図１６】図５のコネクタを示す正面図である。
【図１７】図５のコネクタを示す背面図である。
【図１８】図５のコネクタを示す側面図である。ここで、第１コンタクトのネジ止め部の一部と第２コンタクトのネジ止め部の一部とを拡大して、ブスバーの輪郭と共に破線円内に描画している。
【図１９】図１４のコネクタをＸＩＸ−ＸＩＸ線に沿って示す断面図である。ここで、コネクタが固定される第１ブスバーの輪郭と、相手側コネクタの端部の輪郭とを破線で描画している。また、副部の係合部の近傍（破線で囲んだ部分）を拡大して描画している。
【図２０】図１４のコネクタをＸＸ−ＸＸ線に沿って示す断面図である。ここで、コネクタが固定されるブスバーの輪郭と第１ネジの輪郭とを破線で描画している。
【図２１】図１８のコネクタをＸＸＩ−ＸＸＩ線に沿って示す断面図である。
【図２２】図１９のコネクタの変形例の一部を示す断面図である。ここで、コネクタのソケット接点部の近傍（破線で囲んだ部分）を拡大して描画している。また、相手側コネクタの相手側コンタクトの端部の輪郭を１点鎖線及び２点鎖線で描画している。
【図２３】特許文献１の電気接続箱を示す断面図である。
【発明を実施するための形態】
【００２２】
図１乃至図４に示されるように、本発明の実施の形態によるコネクタ１０は、２つのブスバー６０に固定可能である。ブスバー６０は、互いに異なる電位を有する第１ブスバー６０Ｆ及び第２ブスバー６０Ｓからなる。本実施の形態において、ブスバー６０は、ＡＣ−ＤＣコンバータ（図示せず）と接続されており、２つのブスバー６０間の電位差は１２Ｖである。但し、ブスバー６０の夫々は、どのような電位を有していてもよい。
【００２３】
図１乃至図４から理解されるように、ブスバー６０は、互いに同一の形状及びサイズを有している。具体的には、ブスバー６０は、ＸＹ平面に平行な平板形状を有している。また、ブスバー６０は、ピッチ方向（Ｙ方向）に長く延びている。但し、ブスバー６０は、これと異なるように配置されていてもよい。例えば、ブスバー６０は、ＸＺ平面と平行に配置されＺ方向に長く延びていてもよい。また、ブスバー６０は、コネクタ１０を所定方向（Ｚ方向，上下方向）に挟んで固定できる限り、本実施の形態と異なる形状を有していてもよい。例えば、ブスバー６０は、互いに異なる形状を有していてもよい。
【００２４】
図２及び図４に示されるように、ブスバー６０の夫々には、複数の固定孔６２が形成されている。固定孔６２は、ネジ７０を夫々通すための孔であり、ブスバー６０をＺ方向に貫通している。図２乃至図４から理解されるように、コネクタ１０がブスバー６０に固定された固定状態において、第１ブスバー６０Ｆの固定孔６２のＹ方向における位置は、第２ブスバー６０Ｓの固定孔６２のＹ方向における位置と異なっている。
【００２５】
図１乃至図３に示されるように、ネジ７０は、第１ブスバー６０Ｆに使用される第１ネジ７０Ｆと、第２ブスバー６０Ｓに使用される第２ネジ７０Ｓとからなる。本実施の形態において、第１ネジ７０Ｆ及び第２ネジ７０Ｓは、互いに同一の形状及びサイズを有している。但し、第１ネジ７０Ｆ及び第２ネジ７０Ｓは、互いに異なる形状やサイズを有していてもよい。図２に示されるように、本実施の形態によるネジ７０は、頭部７２と、軸部７４とを有している。軸部７４は、頭部７２からＺ方向に延びている。ＸＹ平面において、頭部７２は固定孔６２よりも大きく、軸部７４は固定孔６２よりも小さい。
【００２６】
図１９から理解されるように、コネクタ１０は、ブスバー６０に固定された固定状態において、相手側コネクタ８０と嵌合方向（Ｘ方向，前後方向）に沿って嵌合可能である。相手側コネクタ８０は、相手側コンタクト８２を有している。相手側コンタクト８２は、例えばケーブル（図示せず）を介して回路基板（図示せず）等の接続対象物と接続されている。本実施の形態による相手側コネクタ８０は、プラグであり、相手側コンタクト８２は、Ｘ方向に延びるプラグコンタクトである。また、本実施の形態によるコネクタ１０は、レセプタクルである。但し、本発明はプラグにも適用可能である。換言すれば、コネクタ１０がプラグであり、相手側コネクタ８０がレセプタクルであってもよい。
【００２７】
図５及び図６を参照すると、コネクタ１０は、絶縁体からなる収容部材２０と、導電体からなる２つのコンタクト３０と、２つの補助バネ４０と、２つのナット５０とを備えている。本実施の形態によるコンタクト３０は、第１コンタクト３０Ｆ及び第２コンタクト３０Ｓからなる。また、本実施の形態による収容部材２０は、互いに別体の１つの主部２０Ｐと２つの副部２０Ａとを含んでいる。但し、コネクタ１０は、これと異なるように構成されていてもよい。例えば、収容部材２０の２つの副部２０Ａは、互いに一体に形成されていてもよい。また、収容部材２０は、主部２０Ｐ及び副部２０Ａ以外の部材を含んでいてもよい。
【００２８】
図５及び図７から理解されるように、主部２０Ｐは、収容部材２０の主たる部材である。主部２０Ｐ（収容部材２０）は、２つの被取付面２１２、即ち、Ｚ方向において互いに反対側に位置する第１面２１２Ｆ及び第２面２１２Ｓを有している。被取付面２１２の夫々は、ＸＹ平面と平行な水平面である。図１及び図４に示されるように、固定状態において、第１面２１２Ｆは、第１ブスバー６０Ｆの下面（−Ｚ側の面）と対向し、第２面２１２Ｓは、第２ブスバー６０Ｓの上面（＋Ｚ側の面）と対向する。
【００２９】
図６及び図７に示されるように、主部２０Ｐの後端（−Ｘ側の端）には、２つの受容部２３０が形成されている。受容部２３０は、副部２０Ａを夫々受容するための空間であり、Ｙ方向に並んでいる。被取付面２１２の夫々には、切り欠き２３２と、開口２３４とが形成されている。切り欠き２３２は、主部２０Ｐの後端から前方（＋Ｘ方向）に向かって切り欠かれた切り欠きであり、開口２３４は、主部２０Ｐの後端近傍に設けられた孔である。図７に示されるように、開口２３４の後端には、Ｘ方向と直交する係合部（係合面）２３６が形成されている。
【００３０】
図６に示されるように、第１面２１２Ｆにおいて、切り欠き２３２は、＋Ｙ側の受容部２３０と対応する位置に設けられており、開口２３４は、−Ｙ側の受容部２３０と対応する位置に設けられている。図７に示されるように、第２面２１２Ｓにおいて、切り欠き２３２は、−Ｙ側の受容部２３０と対応する位置に設けられており、開口２３４は、＋Ｙ側の受容部２３０と対応する位置に設けられている。換言すれば、＋Ｙ側の開口２３４と−Ｙ側の開口２３４とは、Ｚ方向において主部２０Ｐの反対側に位置しており、＋Ｙ側の切り欠き２３２と−Ｙ側の切り欠き２３２とは、Ｚ方向において主部２０Ｐの反対側に位置している。受容部２３０は、Ｚ方向における一方の側において切り欠き２３２と連通しており、Ｚ方向における他方の側において開口２３４と連通している。
【００３１】
図７に示されるように、主部２０Ｐ（収容部材２０）の第２面２１２Ｓ上には、回り止め２５０が形成されている。回り止め２５０は、Ｙ方向に長く延びており、Ｚ方向において外側に（−Ｚ方向に）張り出している。回り止め２５０の後端には、Ｘ方向と直交する面が形成されている。
【００３２】
図４に示されるように、固定状態において主部２０Ｐ（収容部材２０）のうち回り止め２５０よりも前側（＋Ｘ側）に位置する部位（前側部）は、ＸＹ平面におけるブスバー６０の外側に位置している。図４及び図１９を参照すると、この前側部は、相手側コネクタ８０と嵌合する嵌合部２４０として機能する。嵌合部２４０は、Ｘ方向において回り止め２５０よりも相手側コネクタ８０側に位置している。また、嵌合部２４０は、固定状態において、ブスバー６０から＋Ｘ方向に突出している。
【００３３】
図５及び図７に示されるように、嵌合部２４０は、＋Ｘ方向に突出する４つの突出部２４２を含んでいる。図５に示されるように、Ｙ方向外側に位置する２つの突出部２４２には、ロック部２４６が夫々形成されている。図１９を参照すると、コネクタ１０が相手側コネクタ８０と嵌合した嵌合状態において、ロック部２４６は、相手側コネクタ８０の被ロック部（図示せず）をロックし、嵌合状態を維持する。但し、コネクタ１０は、ロック部２４６を備えていなくてもよい。
【００３４】
図１９乃至図２１に示されるように、主部２０Ｐの内部には、受容部２３０（図７参照）と夫々対応する２つの収容部２２０が形成されている。収容部２２０は、２つのコンタクト３０を夫々収容するための空間であり、Ｙ方向に並んでいる。本実施の形態によれば、収容部２２０は、仕切り壁２１４（図１４及び図１５参照）によって互いから隔てられている。収容部２２０は、後側（−Ｘ側）において、受容部２３０（図７参照）と夫々連通している。図２１に示されるように、収容部２２０は、前側において、２つの突出部２４２の内部を延びている。図１９を参照すると、突出部２４２の夫々の前端には、収容部２２０と連通する開口２４４が形成されている。図５及び図７に示されるように、本実施の形態による開口２４４は、Ｙ方向に延びている。
【００３５】
図１９乃至図２１を参照すると、収容部２２０には、上側（＋Ｚ側）及び下側（−Ｚ側）の支持壁２２２と、中間壁２２４と、先端壁２２６と、側壁２２８とが設けられている。図１９に示されるように、支持壁２２２は、ＸＹ平面と平行に延びており、収容部２２０の上端（＋Ｚ側の端）及び下端（−Ｚ側の端）を規定している。図２１に示されるように、側壁２２８は、中間壁２２４から先端壁２２６に向かって延びている。図１９に示されるように、中間壁２２４は、上側の支持壁２２２と下側の支持壁２２２との間をＹＺ平面と平行に延びている。図２１に示されるように、中間壁２２４は、Ｙ方向において２つの突出部２４２の間に位置しており、Ｘ方向において嵌合部２４０の後端近傍に位置している。先端壁２２６は、収容部２２０の前端に位置している。
【００３６】
図６に示されるように、コンタクト３０の夫々は、コンタクト部材３１０と、コンタクト部材３５０とから構成されている。第１コンタクト３０Ｆにおいて、コンタクト部材３５０は、コンタクト部材３１０の上（＋Ｚ側）に配置され、第２コンタクト３０Ｓにおいて、コンタクト部材３５０は、コンタクト部材３１０の下（−Ｚ側）に配置される。換言すれば、第２コンタクト３０Ｓは、第１コンタクト３０Ｆを上下に（Ｚ方向に）ひっくり返した形状を有している。上述の相違点を除き、第１コンタクト３０Ｆと第２コンタクト３０Ｓとは、同一構造を有している。従って、以降の第１コンタクト３０Ｆの構造に関する説明は、Ｚ方向に関する記述の上下を逆転することで第２コンタクト３０Ｓについて成立する。また、以降のコンタクト３０に関する説明は、第１コンタクト３０Ｆ及び第２コンタクト３０Ｓの夫々について成立する。
【００３７】
図８及び図９から理解されるように、第１コンタクト３０Ｆのコンタクト部材３１０及びコンタクト部材３５０は、金属板を夫々折り曲げて形成されており、夫々対応する部位を有している。詳しくは、コンタクト部材３１０は、ネジ止め部３１２と、連結部３１６と、２つの支持部３２０と、２つのバネ部３４０とを有しており、コンタクト部材３５０は、ネジ止め部３５２と、連結部３５６と、２つの支持部３６０と、２つのバネ部３８０とを有している。
【００３８】
ネジ止め部３１２は、Ｙ方向においてネジ止め部３５２よりも少し大きいことを除き、ネジ止め部３５２と同様の形状及びサイズを有している。ネジ止め部３１２及びネジ止め部３５２の夫々は、ＸＹ平面と平行な平板形状を有している。ネジ止め部３１２には、ネジ孔３１４が形成されており、ネジ止め部３５２には、ネジ孔３５４が形成されている。ネジ孔３１４及びネジ孔３５４は、互いに同一な形状及びサイズを有している。ネジ孔３１４及びネジ孔３５４は、ネジ止め部３１２及びネジ止め部３５２を、Ｚ方向に夫々貫通している。
【００３９】
連結部３１６は、ネジ止め部３１２を支持部３２０と連結しており、連結部３５６は、ネジ止め部３５２を支持部３６０と連結している。連結部３１６は、ネジ止め部３１２から下方（−Ｚ方向）に大きく延びた後、前方に向かって支持部３２０まで延びている。一方、連結部３５６は、ネジ止め部３５２から斜め下方に僅かに延びた後、前方に向かって支持部３６０まで延びている。
【００４０】
支持部３２０は、連結部３１６から前方に延びており、支持部３６０は、連結部３５６から前方に延びている。Ｙ方向において、支持部３２０の間には連結部３１６の前端が位置しており、支持部３６０の間には連結部３５６の前端が位置している。換言すれば、連結部３１６の前端は、支持部３２０の間をＹ方向に延びており、連結部３５６の前端は、支持部３６０の間をＹ方向に延びている。
【００４１】
バネ部３４０は、支持部３２０から延びている。バネ部３４０の夫々は、上方（＋Ｚ方向）及び後方（−Ｘ方向）に折り曲げられている。同様に、バネ部３８０は、支持部３６０から延びている。バネ部３８０の夫々は、下方及び後方に折り曲げられている。バネ部３４０の夫々の上端にはソケット接点部３４２が形成されており、バネ部３８０の夫々の下端にはソケット接点部３８２が形成されている。
【００４２】
図８から理解されるように、コンタクト部材３５０は、ネジ孔３１４とネジ孔３５４の位置を合わせてコンタクト部材３１０の上に配置される。この配置から理解されるように、コンタクト３０は、２つのコンタクト部材（コンタクト部材３１０及びコンタクト部材３５０）を含むソケットコンタクトである。特に、本実施の形態のコンタクト３０は、２つのコンタクト部材のみから形成されている。但し、コンタクト３０は、３つ以上のコンタクト部材から形成されていてもよい。また、コンタクト３０は、１つのコンタクト部材のみから形成されていてもよい。
【００４３】
図１０及び図１１から理解されるように、補助バネ４０は、上下対称な形状を有している。補助バネ４０は、連結部４１０と、２つのクリップ部４２０とを有している。連結部４１０は、クリップ部４２０をＹ方向に連結している。連結部４１０には、２つの位置決め部４１２が形成されている。位置決め部４１２は、ＹＺ平面と平行な平板形状を有している。位置決め部４１２は、連結部４１０から上方及び下方に夫々延びている。
【００４４】
クリップ部４２０の夫々は、支持部４２２と、２つのバネ部４２４とを有している。支持部４２２は、連結部４１０に接続されており、ＹＺ平面と平行に延びている。バネ部４２４は、支持部４２２のＺ方向における両端から前方に向かって、やや湾曲しつつ夫々延びている。バネ部４２４の夫々は、端部４２６を有している。端部４２６の夫々は、Ｚ方向外側に向かって傾斜しつつ前方に延びている。以上の説明から理解されるように、バネ部４２４は、Ｚ方向における互いの間の距離を変えるように弾性変形可能である。
【００４５】
図６に示されるように、ナット５０は、第１ナット５０Ｆと、第２ナット５０Ｓとからなる。第１ナット５０Ｆ及び第２ナット５０Ｓは、互いに同一な形状及びサイズを有している。また、２つの副部２０Ａも、互いに同一な形状及びサイズを有している。但し、一方の副部２０Ａは、他方の副部２０Ａを上下にひっくり返した状態で使用される。
【００４６】
図１２及び図１３に示されるように、副部２０Ａは、外壁部２６０と、本体部２７０とを有している。本体部２７０は、外壁部２６０から前方に延びている。図５及び図７から理解されるように、ＹＺ平面において、外壁部２６０は、主部２０Ｐの受容部２３０よりも大きく、本体部２７０は、受容部２３０よりも少し小さい。換言すれば、本体部２７０は、受容部２３０と対応した形状及びサイズを有している。
【００４７】
図１２に示されるように、本体部２７０には、ナット収容部２７２が形成されている。これにより、コネクタ１０（図２０参照）は、２つのナット収容部２７２を備えている。ナット収容部２７２は、ナット５０と対応した形状及びサイズを有する空間である。詳しくは、ＸＹ平面において、ナット収容部２７２は、ナット５０と同一又は少し大きい相似形状を有している。図２０から理解されるように、ナット５０は、ナット収容部２７２に夫々収容されている。
【００４８】
図１３に示されるように、本体部２７０は、隔壁２７６と、バネ片２８０とを有している。これにより、コネクタ１０（図２０参照）は、２つの隔壁２７６を備えている。
【００４９】
図１２及び図１３から理解されるように、隔壁２７６は、ナット収容部２７２の底部を構成している。図２０に示されるように、ナット収容部２７２と隔壁２７６との間には、ネジ７０の端部を受容可能な孔が形成されている。図１３に示されるように、バネ片２８０は、矩形板形状を有している。バネ片２８０の前端は、隔壁２７６の前端近傍に接続されており、バネ片２８０の後端は、隔壁２７６から少し離れている。バネ片２８０の後端近傍には、Ｘ方向と交差する係合部（係合面）２８２が形成されている。バネ片２８０は、隔壁２７６との間の距離を変えるように弾性変形可能であり、これにより係合部２８２は、Ｚ方向に移動可能である。
【００５０】
図６及び図１９乃至図２１から理解されるように、補助バネ４０が取り付けられたコンタクト３０は、主部２０Ｐの後端から、受容部２３０を通過して、収容部２２０に挿入されている。また、ナット５０を収容した副部２０Ａは、コンタクト３０の連結部３１６を収容部２２０に押し込むようにして、受容部２３０に挿入されている。副部２０Ａが受容部２３０に受容されると、係合部２８２が係合部２３６と係合する。このとき、副部２０Ａの外壁部２６０は、主部２０Ｐの後端に接触又は近接している。これにより、副部２０Ａの前方及び後方への移動が防止され、本体部２７０は、受容部２３０内に保持される。
【００５１】
図６及び図２１から理解されるように、収容部材２０は、コンタクト３０を、Ｙ方向に並べて収容部２２０内に収容している。図１９から理解されるように、本実施の形態によれば、コンタクト部材３１０及びコンタクト部材３５０を副部２０Ａによって収容部２２０に押し込むだけで、コンタクト部材３１０及びコンタクト部材３５０を溶接等によって互いに固定したり圧入したりすることなく、コンタクト３０を収容部２２０内の所定位置に収容できる。
【００５２】
図８及び図２０を参照すると、収容部２２０に収容されたコンタクト３０のネジ孔３１４及びネジ孔３５４は、ＸＹ平面において互いに同じ位置にあり且つＺ方向に重なっている。これにより、コンタクト３０の夫々には、コンタクト３０をＺ方向に貫通するネジ孔３４が形成されている。コンタクト３０のネジ止め部３１２及びネジ止め部３５２は、Ｚ方向に重なっており、これにより、コンタクト３０には、ネジ止め部３２が形成されている。換言すれば、コンタクト３０の夫々は、ネジ孔３４が形成されたネジ止め部３２を有している。ネジ孔３４は、ＸＹ平面において、ナット５０の孔と重なっている。
【００５３】
図１９を参照すると、コンタクト３０のコンタクト部材３１０及びコンタクト部材３５０は、収容部材２０の内部（収容部２２０）を、Ｚ方向において互いから離れるようにして、Ｘ方向に延びている。コンタクト部材３１０の先端部（バネ部３４０）及びコンタクト部材３５０の先端部（バネ部３８０）は、Ｚ方向において互いに近づくように折り曲げられている。コンタクト部材３１０の支持部３２０とコンタクト部材３５０の支持部３６０とは、Ｚ方向において十分に離れているため、バネ部３４０及びバネ部３８０を必要なだけ折り曲げることができる。
【００５４】
図１０、図１１及び図１９に示されるように、コンタクト３０の夫々において、補助バネ４０は、Ｚ方向におけるコンタクト部材３１０とコンタクト部材３５０との間に配置されている。また、補助バネ４０は、Ｙ方向においてコンタクト３０と同じ位置にある。詳しくは、補助バネ４０は、コンタクト部材３１０の先端部（バネ部３４０）及びコンタクト部材３５０の先端部（バネ部３８０）に取り付けられて、先端部をＺ方向に連結している。この構造から理解されるように、補助バネ４０は、ソケットコンタクトであるコンタクト３０の接触力を補強している。詳しくは、コンタクト３０が相手側コンタクト８２と接触している間、バネ部３４０及びバネ部３８０は、弾性変形した状態に維持される。これにより、コンタクト３０のバネ力（接触力）が徐々に低下するおそれがある。補助バネ４０を設けることで、接触力の低下を防止又は軽減できる。この効果をより確実に得るためには、補助バネ４０は、応力緩和特性に優れたステンレスやチタン銅などの材料からなることが好ましい。
【００５５】
図１０、図１１及び図２１を参照すると、補助バネ４０の位置決め部４１２の一方は、Ｙ方向においてコンタクト部材３５０の支持部３６０の間に位置しており、位置決め部４１２の他方は、Ｙ方向においてコンタクト部材３１０の支持部３２０の間に位置している。
【００５６】
図１９乃至図２１に示されるように、補助バネ４０の連結部４１０は、Ｘ方向において収容部材２０の中間壁２２４に接触又は近接している。位置決め部４１２の一方は、Ｘ方向においてコンタクト部材３１０の連結部３１６の前端と中間壁２２４との間に位置している。また、位置決め部４１２の他方は、Ｘ方向においてコンタクト部材３５０の連結部３５６の前端と中間壁２２４に挟み込まれている。換言すれば、補助バネ４０は、コンタクト３０と収容部材２０とに挟まれており、これにより収容部２２０内において位置決めされている。
【００５７】
図１９及び図２０に示されるように、コンタクト部材３１０のネジ止め部３１２及びコンタクト部材３５０のネジ止め部３５２は、Ｘ方向において副部２０Ａの外壁部２６０よりも前方に位置している。コンタクト部材３１０の連結部３１６は、Ｘ方向において副部２０Ａの本体部２７０よりも前方に位置している。また、コンタクト部材３５０の連結部３５６は、Ｘ方向において主部２０Ｐの中間壁２２４よりも後方に位置している。換言すれば、コンタクト３０は、主部２０Ｐと副部２０Ａとに挟まれており、これにより収容部２２０内において位置決めされている。
【００５８】
図６、図１４及び図１５に示されるように、２つのコンタクト３０のネジ孔３４は、Ｚ方向においてコネクタ１０の反対側に夫々位置している。このため、図１乃至図３から理解されるように、コネクタ１０は、２つのネジ７０のみを使用してブスバー６０に固定できる。詳しくは、第１ネジ７０Ｆは、コネクタ１０を第１ブスバー６０Ｆに固定し、第２ネジ７０Ｓは、コネクタ１０を第２ブスバー６０Ｓに固定する。
【００５９】
図２０を参照すると、コネクタ１０がブスバー６０に固定された固定状態において、コンタクト３０は、ネジ孔３４に挿入されたネジ７０によってブスバー６０にネジ止めされている。詳しくは、固定状態において、第１コンタクト３０Ｆは、上方からネジ孔３４に挿入された第１ネジ７０Ｆによって第１ブスバー６０Ｆにネジ止めされている。図３及び図６を併せて参照すると、第２コンタクト３０Ｓは、下方からネジ孔３４に挿入された第２ネジ７０Ｓによって第２ブスバー６０Ｓにネジ止めされている。以上の説明から理解されるように、本発明によれば、コネクタ１０は、コンタクト３０を２つのネジ７０のみによって２つのブスバー６０にネジ止めするという簡単な方法によって、ブスバー６０に容易に固定可能である。
【００６０】
図３及び図４を参照すると、コネクタ１０を第２ブスバー６０Ｓにネジ止めする際、回り止め２５０によってコネクタ１０の回転を防止できる。本実施の形態においては、まず、複数のコネクタ１０が第２ブスバー６０Ｓにネジ止めされる。次に、複数のコネクタ１０は、第１ネジ７０Ｆによって第１ブスバー６０Ｆに仮止めされた後、第１ブスバー６０Ｆにネジ止めされる。このため、コネクタ１０を第１ブスバー６０Ｆにネジ止めする際、コネクタ１０及び第２ブスバー６０Ｓは回転しない。上述の固定方法によれば、収容部材２０の第１面２１２Ｆに回り止め２５０を設ける必要はない。
【００６１】
図５を参照すると、回り止め２５０は、収容部材２０の第２面２１２Ｓではなく第１面２１２Ｆに設けてもよい。また、回り止め２５０は、敢えて第１面２１２Ｆと第２面２１２Ｓの両方に夫々設けてもよい。換言すれば、回り止め２５０は、第１面２１２Ｆ上又は第２面２１２Ｓ上に形成されていればよい。但し、Ｚ方向におけるコネクタ１０の向きを視認し易くするという観点からは、回り止め２５０は、第１面２１２Ｆ上及び第２面２１２Ｓ上のいずれか一方のみに形成したほうがよい。
【００６２】
図２０を参照すると、本実施の形態においては、ネジ７０とナット５０とが、コンタクト３０をネジ止めしている。図１２に示されるように、本実施の形態によれば、ナット５０がナット収容部２７２と対応する多角形状（具体的には、六角形状）を有しているため、ネジ止めの際にナット５０が回転しない。図２０に示されるように、固定状態において、ナット５０は、固定孔６２及びネジ孔３４を貫通したネジ７０の軸部７４に取り付けられている。ナット５０は、ネジ７０の頭部７２と共にブスバー６０及びコンタクト３０を間に挟んで固定している。但し、ナット５０を使用せずにコンタクト３０をネジ止めしてもよい。例えば、副部２０Ａに、ナット収容部２７２に代えてネジ孔を設けてもよい。これにより、コネクタ１０の部品点数を削減できる。但し、コンタクト３０をより確実にネジ止めするという観点からは、本実施の形態のように構成することが好ましい。
【００６３】
図２０を参照すると、本実施の形態においては、ナット収容部２７２（即ち、コンタクト３０をネジ止めするための部位）は、主部２０Ｐではなく副部２０Ａに形成されている。これにより、収容部２２０を後方に開口できる。従って、コンタクト３０及び補助バネ４０を後方から容易に収容部２２０に収容できる。
【００６４】
図２０を参照すると、副部２０Ａの一方の隔壁２７６は、ネジ孔３４の下方に位置している。また、副部２０Ａの他方（図６参照）の隔壁２７６は、ネジ孔３４の上方に位置している。即ち、隔壁２７６は、ネジ７０の軸部７４が挿入される空間の底部を形成している。換言すれば、隔壁２７６は、ＸＹ平面においてネジ孔３４と夫々重なっている。図１４及び図１５に示されるように、コネクタ１０をＺ方向に沿って見たとき、ネジ孔３４のうちの一方のみが視認できる。
【００６５】
図２０を参照すると、ネジ７０よりも長いネジ（図示せず）が誤って使用されたとしても、ネジの端部は、隔壁２７６を超えない。このため、バネ片２８０の破壊が防止される。また、ブスバー６０の一方からネジ込まれたネジが、他方のブスバー６０と接触することが防止される。本実施の形態によれば、隔壁２７６を設けることでブスバー６０の短絡を防止できる。
【００６６】
図１７及び図１８に示されるように、コンタクト３０のネジ止め部３２は、被取付面２１２を超えてコネクタ１０の外部に僅かに突出している。詳しくは、第１コンタクト３０Ｆのネジ止め部３２は、Ｚ方向において、第１面２１２Ｆを超えて外部に（上方に）突出している。また、第２コンタクト３０Ｓのネジ止め部３２は、Ｚ方向において、第２面２１２Ｓを超えて外部に（下方に）突出している。このため、固定状態において、コンタクト３０のネジ止め部３２は、ブスバー６０と接触して電気的に接続される。詳しくは、固定状態において、第１コンタクト３０Ｆのネジ止め部３２は、第１ブスバー６０Ｆと直接的に接触しており、第２コンタクト３０Ｓのネジ止め部３２は、第２ブスバー６０Ｓと直接的に接触している。
【００６７】
コンタクト３０のネジ止め部３２は、Ｚ方向において被取付面２１２と同じ位置にあってもよい。詳しくは、第１コンタクト３０Ｆのネジ止め部３２は、Ｚ方向において、第１面２１２Ｆと同じ位置にあってもよい。また、第２コンタクト３０Ｓのネジ止め部３２も、Ｚ方向において、第２面２１２Ｓと同じ位置にあってもよい。更に、本実施の形態によれば、ネジ止め部３２は、ブスバー６０にネジ止めする際に、ブスバー６０に近づく。このため、ネジ止め部３２は、ネジ止めする前にコネクタ１０の内部に位置していてもよい。但し、コンタクト３０をブスバー６０と確実に接続するという観点からは、ネジ止め部３２は、固定状態において被取付面２１２から突出している方が好ましい。また、図１及び図３を併せて参照すると、コネクタ１０がブスバー６０の間に安定的に保持されるという観点からは、ネジ止め部３２は、被取付面２１２から大きく突出していない方が好ましい。
【００６８】
図１９を参照すると、ソケットコンタクトであるコンタクト３０は、２つのソケット接点部（ソケット接点部３４２及びソケット接点部３８２）を有している。本実施の形態によれば、ソケット接点部３４２及びソケット接点部３８２は、Ｚ方向において互いに反対側に位置し、且つ、Ｘ方向において互いに同じ位置にある。
【００６９】
図１６を参照すると、ソケット接点部３４２及びソケット接点部３８２は、コンタクト３０の接点部３８を構成している。本実施の形態において、コンタクト３０の夫々は、Ｙ方向において互いに離れた位置にある２つの接点部３８を有している。コンタクト３０の２つの接点部３８は、２つの相手側コネクタ８０（図１９参照）及び２つのケーブル（図示せず）を介して、１つの接続対象物（図示せず）に接続してもよい。これにより、比較的細く、引き回しやすいケーブルを使用できる。また、コンタクト３０の２つの接点部３８は、２つの接続対象物に夫々接続してもよい。
【００７０】
以上の説明から理解されるように、本実施の形態によれば、コネクタ１０と接続対象物との接続の自由度が高まる。接続の自由度を更に高めるという観点からは、コンタクト３０の夫々は、Ｙ方向において互いに離れた位置にある３つ以上の接点部３８を有していてもよい。一方、コネクタ１０のＹ方向におけるサイズを小さくするという観点からは、コンタクト３０の夫々は、１つのみの接点部３８を有していてもよい。
【００７１】
図１乃至図４を参照すると、複数のコネクタ１０を、Ｙ方向に並べてブスバー６０に固定できる。これにより、例えば、ＡＣ−ＤＣコンバータ（図示せず）からブスバー６０に供給された直流電力を、直流電力で動作する様々な接続対象物（図示せず）に分配でき、エネルギー消費を低減できる。また、コネクタ１０がブスバー６０に固定されると、ブスバー６０の間には、コネクタ１０のＺ方向におけるサイズ（厚み）だけの距離があく。このため、コネクタ１０をブスバー６０に固定するだけで、互いに異なる電位を有する２つのブスバー６０を必要な距離だけ離すことができる。換言すれば、コネクタ１０の厚みは、ブスバー６０の電位差に応じて設定すればよい。
【００７２】
本発明は、以上に説明した本実施の形態や変形例に加えて、様々に変更可能であり応用可能である。
【００７３】
図１９と併せて図２２を参照すると、コネクタ１０′は、第１コンタクト３０Ｆと少し異なる第１コンタクト３０′Ｆ（コンタクト３０′）を備えている。第１コンタクト３０′Ｆは、コンタクト３０のコンタクト部材３１０と少し異なるコンタクト部材３１０′を有している。コンタクト部材３１０′は、支持部３２０′を有している。支持部３２０′のＸ方向におけるサイズは、支持部３６０のＸ方向におけるサイズよりも少し小さい。このため、ソケット接点部３４２は、Ｘ方向においてソケット接点部３８２から距離Ｄ０だけ後方に離れている。コンタクト３０′を備えたコネクタ１０′が相手側コネクタ８０と嵌合する際、相手側コンタクト８２は、まずソケット接点部３８２のみと接触する。相手側コンタクト８２は、ソケット接点部３８２が上方に少し移動した後に、ソケット接点部３４２と接触する。これにより、相手側コンタクト８２の挿入力のピークを軽減できる。
【００７４】
図６を参照すると、第１コンタクト３０Ｆ及び第２コンタクト３０Ｓは、互いに異なる形状を有していてもよい。また、例えば２つの副部２０Ａも、互いに異なる形状を有していてもよい。但し、部品の種類数を減らすという観点からは、本実施の形態のように構成することが好ましい。
【符号の説明】
【００７５】
１０，１０′              コネクタ
２０                      収容部材
２０Ｐ                    主部
２１２                    被取付面
２１２Ｆ                  第１面
２１２Ｓ                  第２面
２１４                    仕切り壁
２２０                    収容部
２２２                    支持壁
２２４                    中間壁
２２６                    先端壁
２２８                    側壁
２３０                    受容部
２３２                    切り欠き
２３４                    開口
２３６                    係合部（係合面）
２４０                    嵌合部
２４２                    突出部
２４４                    開口
２４６                    ロック部
２５０                    回り止め
２０Ａ                    副部
２６０                    外壁部
２７０                    本体部
２７２                    ナット収容部
２７６                    隔壁
２８０                    バネ片
２８２                    係合部（係合面）
３０，３０′              コンタクト
３０Ｆ，３０′Ｆ          第１コンタクト
３０Ｓ                    第２コンタクト
３２                      ネジ止め部
３４                      ネジ孔
３８                      接点部
３１０，３１０′，３５０  コンタクト部材
３１２，３５２            ネジ止め部
３１４，３５４            ネジ孔
３１６，３５６            連結部
３２０，３２０′，３６０  支持部
３４０，３８０            バネ部
３４２，３８２            ソケット接点部
４０                      補助バネ
４１０                    連結部
４１２                    位置決め部
４２０                    クリップ部
４２２                    支持部
４２４                    バネ部
４２６                    端部
５０                      ナット
５０Ｆ                    第１ナット
５０Ｓ                    第２ナット
６０                      ブスバー
６０Ｆ                    第１ブスバー
６０Ｓ                    第２ブスバー
６２                      固定孔
７０                      ネジ
７０Ｆ                    第１ネジ
７０Ｓ                    第２ネジ
７２                      頭部
７４                      軸部
８０                      相手側コネクタ
８２                      相手側コンタクト
【図１】
0006278861.tif 000002
【図２】
0006278861.tif 000003
【図３】
0006278861.tif 000004
【図４】
0006278861.tif 000005
【図５】
0006278861.tif 000006
【図６】
0006278861.tif 000007
【図７】
0006278861.tif 000008
【図８】
0006278861.tif 000009
【図９】
0006278861.tif 000010
【図１０】
0006278861.tif 000011
【図１１】
0006278861.tif 000012
【図１２】
0006278861.tif 000013
【図１３】
0006278861.tif 000014
【図１４】
0006278861.tif 000015
【図１５】
0006278861.tif 000016
【図１６】
0006278861.tif 000017
【図１７】
0006278861.tif 000018
【図１８】
0006278861.tif 000019
【図１９】
0006278861.tif 000020
【図２０】
0006278861.tif 000021
【図２１】
0006278861.tif 000022
【図２２】
0006278861.tif 000023
【図２３】
0006278861.tif 000024